(57)【要約】    【課題】  キッチン本体下方に形成されたスペースにおいて、配管カバーの前方のスペースを有効利用した下部オープンタイプのキッチンを提供する。    【解決手段】  シンク１１を有するキッチン本体と、該本体を支持する脚部とを有して本体の下方が開放され、かつ、シンク１１下部から本体下方へ延びる配管類を覆う配管カバー７０が本体下方の奥方側に配設された下部オープンタイプのキッチンであって、本体下方における配管カバー７０の前方空間に収納可能なダストボックスワゴン８０を備えた。配管カバー７０を、配管類を覆うカバー本体７１と、該カバー本体７１の上部において前方に突出されて排水用具５１を覆う突出部７２とで構成し、ワゴン８０を配管カバー７０の前方空間に収納したときに、ワゴン８０の後端部が突出部７２を回避しながらカバー本体７０の直前方に突入可能な形状とした。【選択図】    図６
2005312590.tif 000002
【特許請求の範囲】
【請求項１】
シンクが設けられたキッチン本体と、該本体を支持する脚部とを有して本体の下方が開放され、かつ、上記シンク下部に連設されて本体下方へ延びる配管類を覆う配管カバーが上記本体下方の奥方側に配設された下部オープンタイプのキッチンであって、上記本体下方における配管カバーの前方空間に収納可能なワゴンが備えられていることを特徴とする下部オープンタイプのキッチン。
【請求項２】
シンク下部にはキッチン本体下面から下方へ突出する排水用具が備えられ、該排水用具に配管類が連設されていると共に、配管カバーは、配管類を覆うカバー本体と、該カバー本体の上部において前方に突出されて上記排水用具を覆う突出部とで構成され、ワゴンは、上記配管カバーの前方空間に収納されたときに、ワゴンの後端部が突出部を回避しながらカバー本体の直前方に突入可能な形状とされていることを特徴とする請求項１に記載の下部オープンタイプのキッチン。
【請求項３】
ワゴンは、ワゴン本体と該本体に載置されたダストボックスとを有するダストボックスワゴンであると共に、ワゴン本体は、ダストボックスを後傾させた状態で載置するように構成されていることを特徴とする請求項２に記載の下部オープンタイプのキッチン。
【請求項４】
配管カバーの突出部は、下面が奥方ほど下方に傾斜する傾斜面とされていることを特徴とする請求項２または請求項３に記載の下部オープンタイプのキッチン。
【請求項５】
ダストボックスは、上部開口を開閉する蓋部材を有し、ダストボックスの前方上部に該蓋部材を開くための開プッシュボタンが備えられていることを特徴とする請求項３または請求項４に記載の下部オープンタイプのキッチン。
【発明の詳細な説明】
【技術分野】
【０００１】
本発明は、キッチン本体と該本体を支持する脚部とを有し、キッチン本体下方に開放空間が形成された下部オープンタイプのキッチンに関し、台所家具の技術分野に属する。
【背景技術】
【０００２】
従来、キッチン本体と該本体を支持する脚部とを有し、キッチン本体下方に形成された開放空間の有効利用を図った下部オープンタイプのキッチンがある。形成されたキッチン本体下方のスペースには、水栓を有するキッチンの構造上、給排水配管、止水栓等の配管類などが煩雑に存在している。
【０００３】
ところで、配管類が存在するキッチン本体下方のスペースを有効利用するには、例えば、特許文献１に記載のキッチンのように、配管類を左右に避けて収納用ワゴンやダストボックスワゴンなどを出し入れ可能に収納せざるを得ない。これに対処するものとして、特許文献２に記載のキッチンにおいては、箱型形状で一部凹所が設けられた構造の収納用ワゴンが備えられ、該ワゴンをキッチン本体下方のスペースに収納したときに上記凹所に配管類が嵌り込んで両者の干渉を回避している。
【０００４】
一方、キャビネットタイプのキッチンでは、予め配管類がキャビネット内に収められた構造であるので特に問題はないが、下部オープンタイプのキッチンでは、配管類がキッチン本体下方のスペースに露出することになり、キッチンのデザイン性を低下させるという問題が生じる。さらに、このデザイン性の低下に加えて、ワゴン収納時や清掃時などに配管類に損傷を与える可能性もあるため、配管類を配管カバーで覆う方法も提案されている。
【０００５】
なお、前述したダストボックスワゴンには、例えば特許文献３に記載のものがあり、これによると、手前側に把手と下部にキャスターとが取り付けられたフレームを有するワゴン本体に、ダストボックスが水平面に対して垂直に収納された構造とされている。また、ダストボックスには、上部開口を開閉する蓋部材と、該蓋部材前方に開プッシュボタンとが備えられている。
【０００６】
【特許文献１】特開２００２−３４６８１号公報
【特許文献２】実開昭５５−１８７７号公報
【特許文献３】特開２００３−７０５５４号公報
【発明の開示】
【発明が解決しようとする課題】
【０００７】
ところで、例えば、上記特許文献１に記載のキッチンにおいて、キッチン本体下方のスペースに配管類を覆う配管カバーが配設されている場合は、このスペースにおける有効利用可能なスペースが一層圧迫され、特に配管カバーの前方は活用しづらいスペースになる。
【０００８】
また、シンクの下部には排水に含まれるゴミなどの流出を阻止するゴミ受けや、下水からの臭気を遮断する排水トラップ等の排水用具が備えられることがあり、該排水用具は、それぞれの役割を十分に果たすために一定の容積を確保する必要がある。そのため、上記排水用具は、キッチン本体下方のスペースにおいて配管類に比べて前方側のスペースを占有する。一方、配管類は、キッチン本体下方のスペースの奥方にコンパクトに収めることができるので、上記排水用具と配管類との両方を覆う配管カバーは大型化し、いたずらにキッチン本体下方のスペースを圧迫することになる。
【０００９】
また、ダストボックスワゴンは、ダストボックスがシンク下部の排水用具に干渉することなく下部スペースに完全に収納されるためには、ダストボックスの高さを低くする必要がある。その結果、ダストボックスの容積が減少するだけでなく、開プッシュボタンがダストボックスの前方上部に設けられている場合には、開プッシュボタンの操作性が低下するという問題が生じる。
【００１０】
そこで、本発明は、キッチン本体下方に形成されたスペースにおける配管カバーが配設された領域の前方のスペースを有効利用すると共に、該スペースにダストボックスワゴンを収納可能としたときにダストボックスの蓋部材を開くための開プッシュボタンの操作性を向上した下部オープンタイプのキッチンを提供することを課題とする。
【課題を解決するための手段】
【００１１】
上記課題を解決するため、本発明は次のように構成したことを特徴とする。
【００１２】
まず、本願の請求項１に記載の発明は、シンクが設けられたキッチン本体と、該本体を支持する脚部とを有して本体の下方が開放され、かつ、上記シンク下部に連設されて本体下方へ延びる配管類を覆う配管カバーが上記本体下方の奥方側に配設された下部オープンタイプのキッチンであって、上記本体下方における配管カバーの前方空間に収納可能なワゴンが備えられていることを特徴とする。
【００１３】
次に、請求項２に記載の発明は、上記請求項１に記載の下部オープンタイプのキッチンにおいて、シンク下部にはキッチン本体下面から下方へ突出する排水用具が備えられ、該排水用具に配管類が連設されていると共に、配管カバーは、配管類を覆うカバー本体と、該カバー本体の上部において前方に突出されて上記排水用具を覆う突出部とで構成され、ワゴンは、上記配管カバーの前方空間に収納されたときに、ワゴンの後端部が突出部を回避しながらカバー本体の直前方に突入可能な形状とされていることを特徴とする。
【００１４】
次に、請求項３に記載の発明は、上記請求項２に記載の下部オープンタイプのキッチンにおいて、ワゴンは、ワゴン本体と該本体に載置されたダストボックスとを有するダストボックスワゴンであると共に、ワゴン本体は、ダストボックスを後傾させた状態で載置するように構成されていることを特徴とする。
【００１５】
次に、請求項４に記載の発明は、上記請求項２または請求項３に記載の下部オープンタイプのキッチンにおいて、配管カバーの突出部は、下面が奥方ほど下方に傾斜する傾斜面とされていることを特徴とする。
【００１６】
そして、請求項５に記載の発明は、上記請求項３または請求項４に記載の下部オープンタイプのキッチンにおいて、ダストボックスは、上部開口を開閉する蓋部材を有し、ダストボックスの前方上部に該蓋部材を開くための開プッシュボタンが備えられていることを特徴とする。
【発明の効果】
【００１７】
まず、請求項１に記載の発明によれば、配管カバーで配管類を覆うことによって、キッチンのデザイン性を向上しかつ配管類の安全性を確保した上で、キッチン本体下方における配管カバーの前方空間に収納可能なワゴンを備えたことにより、活用しづらいこのスペースの有効利用を図ることができる。
【００１８】
次に、請求項２に記載の発明によれば、配管類を覆うカバー本体と該本体の上部において前方に突出されて排水用具を覆う突出部とで配管カバーを構成することによって、配管カバーをコンパクトに構成することができ、キッチン本体下方のスペース、特に配管カバー前方のスペースを大きく確保することができる。また、この突出した部分をカバー本体とは別部材である突出部で構成することによって、配管カバーの梱包形態を小さくすることができる。
【００１９】
次に、請求項３に記載の発明によれば、ダストボックスワゴンは、ダストボックスを後傾させた状態で支持することによって、収納時に該ボックスの突出部への当接を効果的に回避しつつ、ダストボックスの高さひいては容積を拡大することができる。
【００２０】
次に、請求項４に記載の発明によれば、突出部の下面を奥方ほど下方に傾斜する傾斜面としたことによって、配管カバーを一層コンパクトに形成することができるので、突出部の傾斜面とダストボックスの傾斜との協働によって、その前方に突入するダストボックスの高さひいては容積を一層拡大することができる。さらに、突出部内に漏れた水滴やゴミが傾斜面に沿って滑落するのでこれらが配管カバー内で堆積するのを防止することができ、該カバー内を清潔に保つことができる。
【００２１】
そして、請求項５に記載の発明によれば、後傾状態で載置されたダストボックス前方上部は垂直載置時に比して上方に位置することになるので、作業者は身体をかがめることなく、容易に開プッシュボタンを操作することができる。さらに、ダストボックスワゴンのフレームの前方部分には、該ワゴンのデザイン性を向上するために化粧パネルが備えられていることがあり、その場合、この化粧パネルとの干渉により開プッシュボタンの操作性が低下することがあるが、ダストボックスは後傾しているので、垂直載置時に比して開プッシュボタンを上方側かつ後方側に位置させることができ、該ボタンの操作性が良好に維持される。また、ダストボックスを後傾させて保持することによって、ごみが入れやすくなるという効果も得られる。
【発明を実施するための最良の形態】
【００２２】
以下、本発明に係る実施の形態について説明する。
【００２３】
図１に示すように、システムキッチン１は、キッチン本体１０と該キッチン本体１０の上方に配設されたレンジフード２０及びウォールキャビネット３０と上記キッチン本体１０を支持する複数の脚部４０…４０とを有している。
【００２４】
キッチン本体１０は、シンク１１とガスコンロ１２と水栓１３とを有し、このキッチン本体１０を複数の脚部４０…４０で支持する構成により、キッチン本体１０の下方には開放空間Ｓが形成され、該空間Ｓのガスコンロ１２の下方においては収納用の網棚４１が上記脚部４０…４０に支持されている。
【００２５】
図２及び図３に示すように、シンク１１は、前板１４と後板１５とで前後を支持され、シンク１０の下方には、排水系統５０と給水系統６０とが配設されている。排水系統５０は、該本体１０下面よりも下方に突出して設けられて、排水に含まれるごみ類の流出を阻止するゴミ受けを備えた排水用具５１と、該排水用具５１の下部に接続されて下方に延設された排水管５２とを有している。なお、排水管には、下水からの臭気を遮断するＳ字トラップ５２ａが形成されている。給水系統６０は、壁Ｗの内部に構成された図示しない給水本管と、該給水本管から供給された水及び熱湯の供給量を調整する一対の止水栓６１，６１と、該止水栓６１，６１を介して給水本管を上記キッチン本体１０の水栓１３に接続する給水管６２，６２とを有している。
【００２６】
これらの排水系統５０及び給水系統６０は、配管カバー７０で覆われており、該配管カバー７０は、上記脚部４０，４０間に架設されたビーム４２と、該ビーム４２から上方に上記後板１５まで延びる一対のポスト４３，４３とにより、後述するように支持されている。なお、上記開放空間Ｓのうち、特に配管カバー７０の前方の空間を空間Ｓ′と定義する。
【００２７】
図４及び図５に示すように、配管カバー７０は、カバー本体７１と、該カバー本体７１の上部に前方に突出された突出部７２とを有している。カバー本体７１は、平面視コ字状に組み付けられたアングル７１ａ…７１ａと、該アングル７１ａ…７１ａの外面に沿って折曲して形成されたステンレス製のプレート部材７１ｂとを有し、該プレート部材７１ｂがアングル７１ａ…７１ａに固着された構造である。プレート部材７１ｂには、前面の上部に切欠き７１ｃが設けられていると共に、両側面の下部後方には上記ビーム４２に係合する切欠き７１ｄが設けられている。また、前面上部の切欠き７１ｃの周囲がフランジ部７１ｅとして機能する。一方、上記プレート部材７１ｂの両側面の後端部には、それぞれ対向方向に折り込まれた折込部７１ｆ，７１ｆが設けられ、該折込部７１ｆ，７１ｆがそれぞれ上記ポスト４３，４３に係合する。
【００２８】
突出部７２は、カバー本体７１の上部前方に設けられた切欠き７１ｃの前方に突出して設けられている。突出部７２は、上方及び後方に開口すると共に後方の開口の周囲がフランジ部７２ａとして機能し、該フランジ部７２ａを介して上記カバー本体７１の切欠き７１ｃの周囲のフランジ部７１ｅにそれぞれボルト７３…７３で締結されている。また、突出部７２の下面は、奥方ほど下方に傾斜する傾斜面７２ｂになるよう形成されている。
【００２９】
次に、上記配管カバー７０の前方の空間Ｓ′に収納されるダストボックスワゴン８０について説明する。
【００３０】
図６に示すように、ダストボックスワゴン８０は、ワゴン本体８１と一対のダストボックス８２，８２（図９参照）とで構成されている。図７に示すように、ワゴン本体８１は、金属製のパイプを側面視コ字形状に形成したフレーム８１ａを有している。すなわち、フレーム８１ａは、正面視コ字形状の前方垂直部８１ａ１と、該前方垂直部８１ａ１の下端から水平方向後方に延設された一対の水平部８１ａ２，８１ａ２と、該水平部８１ａ２，８１ａ２の後端から上方に延設されて正面視コ字形状の後方垂直部８１ａ３とで構成されている。
【００３１】
前方垂直部８１ａ１には、上方から化粧パネル８１ｂが嵌め込まれると共に、該化粧パネル８１ｂは該パネル８１ｂの後部に設けられた折り返し部８１ｂ１を介して前方垂直部８１ａ１にボルト８１ｃ…８１ｃで締結されている。また、前方垂直部８１ａ１と後方垂直部８１ａ３とを水平方向に連結する一対の連結ビーム８１ｄ，８１ｄが架設されている。水平部８１ａ２，８１ａ２間には、一対のキャスター用ビーム８１ｅ，８１ｅが架設され、該ビーム８１ｅ，８１ｅの下面にはそれぞれ一対のキャスター８１ｆ，８１ｆが取り付けられている。後方垂直部８１ａ３には、ワゴン本体８１を空間Ｓ′収納したとき、配管カバー７０とワゴン本体８１との当接による衝撃を吸収する一対の緩衝部材８１ｇ，８１ｇが備えられている。なお、化粧パネルに８１ｂには、複数の通気孔８１ｂ２…８１ｂ２が設けられていると共に、前面に把手８１ｂ３が設けられている（図６及び図９参照）。
【００３２】
一方、ワゴン本体８１には、図８に示す底板８１ｈが備えられている。該底板８１ｈは、前方の段部８１ｈ１と、水平面状の底部８１ｈ２と、後方の立ち上がり部８１ｈ３とで構成されている。底板８１ｈは、ワゴン本体８１のフレーム８１ａの内部に収納されるが、収納時には、段部８１ｈ１の左右両端部は前方垂直部８１ａ１に、立ち上がり部８１ａ３左右両端は後方垂直部８１ａ３にそれぞれ係止されて、底板８１ｈはフレーム８１ａ内部で位置決めされる。なお、底板８１ｈは、フレーム８１ａまたはキャスター用ビーム８１ｅ，８１ｅに溶接、ボルト等による締結などの方法で固定してもよい。
【００３３】
図６及び図９に示すように、一対のダストボックス８２，８２は、上記連結ビーム８１ｄ，８１ｄ間に並列に載置されている。このとき、ダストボックス８２，８２は、後方垂直部８１ａ３の上端部、底板８１ｈの底部８１ｈ２及び立ち上がり部８１ｈ３により形成された角部８１ｈ４と、段部８１ｈ１との３点で安定的に後傾姿勢で支持される。なお、本実施の形態においては、上記角部８１ｈ４の角度αは１０５度、ダストボックス８２，８２の傾斜角βは７度とされている。
【００３４】
また、図９に示すように、ダストボックス８２，８２の上面には該ボックス８２，８２の上部開口を開閉するための蓋部材８２ａ，８２ａが備えられ、該蓋部材８２ａ，８２ａの前方にはそれぞれ蓋部材８２ａ，８２ａを開くための開プッシュボタン８２ｂ，８２ｂが備えられており、該ボタン８２ｂ，８２ｂを押下操作した際に蓋部材８２ａ，８２ａが図６に示すように後端部を軸として矢印Ａ方向に開く。
【００３５】
以上の構成により、本実施の形態によれば次のような作用効果が得られる。
【００３６】
まず、配管カバー７０によって、排水管５２、止水栓６１、及び給水管６２（以下、配管類という）を覆うことによって、システムキッチン１のデザイン性を向上し、かつ、ダストボックスワゴン８０の収納時や清掃時等にワゴン本体８１や清掃器具が直接配管類に当接することを回避できるので配管類の安全性、耐久性を確保することができる。また、キッチン本体１０の下方かつ配管カバー７０前方のスペースＳ′に収納することができるワゴン８０を備えたことにより、活用しづらいこのスペースＳ′の有効利用を図ることができる。一方、キッチン本体１０の下方で配管カバー７０が配置された範囲外のスペースには、奥行きを大きく確保した容量の大きなワゴンを収納することができる。なお、配管カバー７０の前方に収納するワゴンは、ダストボックスワゴン８０に限らず、収納用ワゴン等であってもよい。
【００３７】
一方、配管カバー７０を配管類を覆うカバー本体７１と該本体７１の上部において前方に突出されて排水用具５１を覆う突出部７２とで構成することによって、配管カバー７０の全体をコンパクトに構成することができ、キッチン本体１０の下方のスペースＳ、特に配管カバー７０の前方のスペースＳ′を大きく確保することができる。また、この突出した部分である突出部７２をカバー本体７１とは別部材で着脱自在に構成することによって、配管カバー７０の梱包形態を小さくすることができる。なお、排水用具５１は、ゴミ受けを備えたものの他、下水からの臭気を遮断する椀型の排水トラップを備えたものであっても同等の作用効果が得られる。
【００３８】
また、ダストボックスワゴン８０は、ダストボックス８２，８２を後傾させた状態で支持することによって、収納時にワゴン８０の突出部７２への当接を効果的に回避しつつ、ダストボックス８２，８２の容積を拡大することができる。なお、本実施の形態においては、底板８１ｈの形状を工夫することによって、該底板８２ｈ上に載置したダストボックス８２が後傾する構成であるが、ダストボックス８２を後傾させて支持するワゴン本体８１及びダストボックス８２の構成はこれに限らない。
【００３９】
さらに、突出部７２の下面を後傾する傾斜面７２ｂとしたことによって、配管カバー７０を一層コンパクトに形成することができるので、突出部７２の傾斜面７２ｂとダストボックス８２の傾斜との協働によって、その前方に突入するダストボックス８２，８２の容積を一層拡大することができる。
【００４０】
さらに、配管カバー７０のカバー本体７１及び突出部７２に設けられたフランジ部７１ｅ，７２ａは、両者を固着するために必要な箇所だけ設ければよく、このとき配管類から突出部７２内に漏れた水滴やゴミ等が傾斜面７２ｂに沿って滑落するのでこれらが配管カバー７０内で堆積するのを防止することができ、配管カバー７０内を清潔に保つことができる。また、底板８１ｈに立ち上がり部８１ｈ３を設けたことによって、ダストボックス８２が後方に滑り落ちることを防止すると共に、ダストボックス８２を容易に出し入れすることができる。
【００４１】
一方、後傾状態で載置されたダストボックス８２，８２の前方上部は垂直載置時に比して上方に位置することになるので、作業者は身体をかがめることなく、容易にここに設けられた開プッシュボタン８２ｂ，８２ｂを押下操作することができる。さらに、ダストボックスワゴン８０のフレーム８１ａの前方垂直部８１ａ１には、該ワゴン８０のデザイン性を向上するために化粧パネル８１ｂが備えられており、この化粧パネル８１ｂとの干渉によりさらに開プッシュボタン８２ｂ，８２ｂの操作性が低下することがあるが、ダストボックス８２，８２は後傾しているので、垂直載置時に比して開プッシュボタン８２ｂ，８２ｂを上方側かつ後方側に位置させることができるので、該ボタン８２ｂ，８２ｂの操作性を一層向上することができる。さらに、ダストボックス８２を後傾させて保持することによって、作業者に対してダストボックス８２の開口と蓋部材８２ａとがごみが入れやすい角度で開かれるという効果も得られる。
【産業上の利用可能性】
【００４２】
本発明は、キッチン本体下方に形成されたスペースにおける配管カバーが配設された領域の前方のスペースを有効利用すると共に、上記スペースにダストボックスワゴンを収納可能としたときにダストボックスの蓋部材を開くための開プッシュボタンの操作性を向上した下部オープンタイプのキッチンを提供する。本発明は、キッチン本体と該本体を支持する脚部とを有し、キッチン本体下方に開放空間が形成された下部オープンタイプのキッチンに関し、台所家具の技術分野に広く好適である。
【図面の簡単な説明】
【００４３】
【図１】本実施の形態に係るシステムキッチンの正面図である。
【図２】シンクの下部を示す正面図である。
【図３】同側面図である。
【図４】配管カバーの側面図である。
【図５】同平面図である。
【図６】シンク下方のスペースにダストボックスワゴンを収納した状態を示す側面図である。
【図７】ワゴン本体の斜視図である。
【図８】底板の斜視図である。
【図９】ダストボックスワゴンの平面図である。
【符号の説明】
【００４４】
１            キッチン（システムキッチン）
１０          キッチン本体
１１          シンク
５１          排水用具
５２          配管類（排水管）
６１          配管類（止水栓）
６２          配管類（給水管）
７０          配管カバー
７１          カバー本体
７２          突出部
７２ｂ        傾斜面
８０          ワゴン（ダストボックスワゴン）
８１          ワゴン本体
８２          ダストボックス
８２ａ        蓋部材
８２ｂ        開プッシュボタン
【図１】
2005312590.tif 000003
【図２】
2005312590.tif 000004
【図３】
2005312590.tif 000005
【図４】
2005312590.tif 000006
【図５】
2005312590.tif 000007
【図６】
2005312590.tif 000008
【図７】
2005312590.tif 000009
【図８】
2005312590.tif 000010
【図９】
2005312590.tif 000011